(57)【要約】      （修正有）【課題】シンプルな構造で収容物を安全に保護することができ、組み立て工程で、収容物を収容空間の中にスムーズに入れることができる中仕切り付き包装箱を提供する。【解決手段】中仕切り付き包装箱は、仕切り板３０の蓋側の端辺に延設され、組み立て工程で収容物を筒体の蓋側の開口から収容空間の中に入れる時、収容物を収容空間に向けて案内するガイド片８０を備える。組み立て状態で、第一の糊付け板２８が第一の側面板２０の端部に糊付けされ、側面板２０、２２、２４、２６で成る筒体が形成される。第二の糊付け板３２が第三の側面板２４の内面に糊付けされ、仕切り板３０が第二の側面板２２に対向し、蓋側端部３０ａが開封部８６の内側に配置される。第一及び第二の蓋片５４、７２が重なって互いに糊付けされて蓋部が形成される。ガイド片８０は、仕切り板３０との境界部分が折り曲げられて蓋部の内側に収まる。【選択図】図２
0003235452.tif 000002
【実用新案登録請求の範囲】
【請求項１】
四角形の筒体の両端が蓋部及び底部で各々閉鎖され、前記筒体の中が仕切られて収容物を入れる収容空間が形成された包装箱であって、
一枚の箱体形成片によって形成され、前記箱体形成片は、順に一列に連接された第一、第二、第三及び第四の側面板、第一の糊付け板、仕切り板及び第二の糊付け板と、前記第二の側面板の蓋側の端辺に延設された第一の蓋片と、前記第四の側面板の蓋側の端辺に延設された第二の蓋片と、前記仕切り板の蓋側の端辺に延設された板片であって、組み立て工程で収容物を前記筒体の蓋側の開口から前記収容空間の中に入れる時に収容物を前記収容空間に向けて案内するガイド片とを備え、
前記第二の側面板の内側の、蓋側の端部には、蓋側の端辺が前記第一の蓋片に連続する開封部と、開封時に前記開封部及び前記第一の蓋片を前記第二の側面板から切り離すための開封用破断線とが設けられ、
開封前の組み立て状態で、前記第一の糊付け板が前記第一の側面板の端部に糊付けされて、４つの前記側面板で成る前記筒体が形成され、前記第二の糊付け板が前記第三の側面板の内面に糊付けされて、前記仕切り板が前記第二の側面板に対向する位置に支持され、前記仕切り板の蓋側端部が前記第二の側面板の前記開封部の内側に配置され、前記仕切り板と前記第四の側面板との間に形成された前記収容空間に収容物が入れられ、前記第一及び第二の蓋片が重なって互いに糊付けされて前記蓋部が形成され、前記ガイド片は、前記仕切り板との境界部分が折り曲げられて前記蓋部の内側に収まり、
前記開封用破断線を破断させて開封する時、前記第二の側面板から切離した前記開封部が前記収容物に接触するのを、前記仕切り板の前記蓋側端部が阻止することによって、前記収容物が保護されることを特徴とする中仕切り付き包装箱。
【請求項２】
前記ガイド片は、内側に糊付け孔が設けられ、前記仕切り板との境界部分がガイド片切離用破断線で区切られており、
開封前の組み立て状態で、前記ガイド片は、外面側の前記第一の蓋片と内面側の第二の蓋片との間に配置されて前記蓋部の内側に収まり、前記第一の蓋片、第二の蓋片及び前記ガイド片が前記糊付け孔を通じて相互に糊付けされ、
前記蓋部を開くと、前記ガイド片が引っ張られて前記ガイド片切離用破断線が破断し、前記ガイド片が前記仕切り板から切り離される請求項１記載の包装箱。
【請求項３】
前記箱体形成片の、前記仕切り板及び前記第二の糊付け板の底側の端部には、前記第二の糊付け板の連接方向の端部から前記仕切り板の途中の位置まで延びる切り込み線によって区切られた収容物支持部が設けられ、
開封前の組み立て状態で、前記収容物支持部が折れ曲がり、前記収容物支持部の特定部分が前記収容空間を横切り、前記特定部分の上端面によって収容物の下端部が緩衝的に支持される請求項１又は２記載の包装箱。
【請求項４】
前記仕切り板は、内側に収容物に関する情報が表示され、隣接する前記第一及び第二の糊付け板との各境界が仕切り板切離用破断線で区切られており、
前記蓋部が開かれた状態で前記ガイド片を摘まんで引っ張ると、前記仕切り板が前記第一及び第二の糊付け板から切り離されて情報表示カードとなる請求項１記載の包装箱。
【考案の詳細な説明】
【技術分野】
【０００１】
本考案は、箱体の中に中仕切りが設けられた中仕切り付き包装箱に関する。
【背景技術】
【０００２】
従来、本願出願人による特許文献１に開示されているように、四角形の筒体の両端が蓋部及び底部で各々閉鎖され、筒体の中が仕切られて収容物を入れる収容空間が形成された中仕切り付き包装箱があった。この中仕切り付き包装箱は、組み立て状態で、筒体の中を区画する仕切り板が第二の側面板に対向する位置に支持され、第二の側面板の蓋側の端部に、開封時に指で押し込まれる開封部が設けられ、仕切り板の蓋側端部が開封部の内側に配置される。この構造により、開封部が押し破られた時、開封部が収容物（医薬品等が入ったＰＴＰシート等）に直接接触するのが阻止され、収容物が保護されるという特徴がある。
【先行技術文献】
【特許文献】
【０００３】
【特許文献１】実用新案登録第３２２４２３８号公報
【考案の概要】
【考案が解決しようとする課題】
【０００４】
特許文献１の中仕切り付き包装箱は、組み立て工程で収容物を筒体の蓋側の開口から収容空間の中に入れる時、収容物が仕切り板の上端面（蓋側端部の上端面）に引っ掛かって入れにくい場合があった。
【０００５】
この考案は、上記背景技術に鑑みて成されたものであり、シンプルな構造で収容物を安全に保護することができ、組み立て工程で、収容物を収容空間の中にスムーズに入れることができる中仕切り付き包装箱を提供することを目的とする。
【課題を解決するための手段】
【０００６】
本考案は、四角形の筒体の両端が蓋部及び底部で各々閉鎖され、前記筒体の中が仕切られて収容物を入れる収容空間が形成された包装箱であって、
一枚の箱体形成片によって形成され、前記箱体形成片は、順に一列に連接された第一、第二、第三及び第四の側面板、第一の糊付け板、仕切り板及び第二の糊付け板と、前記第二の側面板の蓋側の端辺に延設された第一の蓋片と、前記第四の側面板の蓋側の端辺に延設された第二の蓋片と、前記仕切り板の蓋側の端辺に延設された板片であって、組み立て工程で収容物を前記筒体の蓋側の開口から前記収容空間の中に入れる時に収容物を前記収容空間に向けて案内するガイド片とを備え、
前記第二の側面板の内側の、蓋側の端部には、蓋側の端辺が前記第一の蓋片に連続する開封部と、開封時に前記開封部及び前記第一の蓋片を前記第二の側面板から切り離すための開封用破断線とが設けられ、
開封前の組み立て状態で、前記第一の糊付け板が前記第一の側面板の端部に糊付けされて、４つの前記側面板で成る前記筒体が形成され、前記第二の糊付け板が前記第三の側面板の内面に糊付けされて、前記仕切り板が前記第二の側面板に対向する位置に支持され、前記仕切り板の蓋側端部が前記第二の側面板の前記開封部の内側に配置され、前記仕切り板と前記第四の側面板との間に形成された前記収容空間に収容物が入れられ、前記第一及び第二の蓋片が重なって互いに糊付けされて前記蓋部が形成され、前記ガイド片は、前記仕切り板との境界部分が折り曲げられて前記蓋部の内側に収まり、前記開封用破断線を破断させて開封する時、前記第二の側面板から切離した前記開封部が前記収容物に接触するのを、前記仕切り板の前記蓋側端部が阻止することによって、前記収容物が保護される中仕切り付き包装箱である。
【０００７】
前記ガイド片は、内側に糊付け孔が設けられ、前記仕切り板との境界部分がガイド片切離用破断線で区切られており、開封前の組み立て状態で、前記ガイド片は、外面側の前記第一の蓋片と内面側の第二の蓋片との間に配置されて前記蓋部の内側に収まり、前記第一の蓋片、第二の蓋片及び前記ガイド片が前記糊付け孔を通じて相互に糊付けされ、前記蓋部を開くと、前記ガイド片が引っ張られて前記ガイド片切離用破断線が破断し、前記ガイド片が前記仕切り板から切り離される構成にすることができる。
【０００８】
また、前記箱体形成片の、前記仕切り板及び前記第二の糊付け板の底側の端部には、前記第二の糊付け板の連接方向の端部から前記仕切り板の途中の位置まで延びる切り込み線によって区切られた収容物支持部が設けられ、開封前の組み立て状態で、前記収容物支持部が折れ曲がり、前記収容物支持部の特定部分が前記収容空間を横切り、前記特定部分の上端面によって収容物の下端部が緩衝的に支持される構成にすることができる。
【０００９】
さらに、前記仕切り板は、内側に収容物に関する情報が表示され、隣接する前記第一及び第二の糊付け板との各境界が仕切り板切離用破断線で区切られており、前記蓋部が開かれた状態で前記ガイド片を摘まんで引っ張ると、前記仕切り板が前記第一及び第二の糊付け板から切り離されて情報表示カードとなる構成にすることができる。
【考案の効果】
【００１０】
この考案の中仕切り付き包装箱は、シンプルな構造で組み立てやすく、組み立て工程で収容物を筒体の蓋側の開口から収容空間の中に入れる時、筒体の外に突出するガイド片によって収容物が収容空間に向けて案内されるので、収容物が仕切り板の上端面に引っ掛かることが防止され、収容物をスムーズに収容空間に入れることができる。しかも、ガイド片は、仕切り板との境界部分が折り曲げられて蓋部の内側に収まる形状なので、包装箱の外形が大型化することもない。
【００１１】
また、特許文献１の包装箱と同様に、開封部を押し破る等の開封が行われた時、仕切り板の蓋側端部が、開封部が収容物（医薬品等が入ったＰＴＰシート等）に直接接触するのを阻止するので、収容物が適切に保護される。
【図面の簡単な説明】
【００１２】
【図１】本考案の中仕切り付き包装箱の第一の実施形態の、開封前の組み立て状態の外観を示す斜視図（ａ）、内部構造を示す縦断面図（ｂ）である。
【図２】第一の実施形態の中仕切り付き包装箱を展開した箱体形成片を裏面側から見た平面図である。
【図３】第一の実施形態の中仕切り付き包装箱の組み立て工程を順に示す平面図（ａ）、（ｂ）である。
【図４】第一の実施形態の中仕切り付き包装箱の組み立て工程を順に示す平面図（ａ）、（ｂ）である。
【図５】第一の実施形態の中仕切り付き包装箱の組み立て工程の途中の、立体的な筒体を形成した状態を示す斜視図（ａ）、底面図（ｂ）である。
【図６】第一の実施形態の中仕切り付き包装箱の組み立て工程（収容物を収容空間の中に入れる工程）を示す縦断面図である。
【図７】第一の実施形態の中仕切り付き包装箱の、開封した状態の外観を示す斜視図（ａ）、内部構造を示す縦断面図（ｂ）である。
【図８】第一の実施形態の中仕切り付き包装箱の、再封した状態の外観を示す斜視図（ａ）、内部構造を示す縦断面図（ｂ）である。
【図９】本考案の中仕切り付き包装箱の第二の実施形態の、開封前の組み立て状態の外観を示す斜視図（ａ）、内部構造を示す縦断面図（ｂ）である。
【図１０】第二の実施形態の中仕切り付き包装箱を展開した箱体形成片を裏面側から見た平面図である。
【図１１】第二の実施形態の中仕切り付き包装箱の組み立て工程を順に示す平面図（ａ）、（ｂ）、（ｃ）である。
【図１２】第二の実施形態の中仕切り付き包装箱の組み立て工程の途中の、立体的な筒体を形成した状態の外観を示す斜視図（ａ）、内部構造を示す底面図（ｂ）である。
【図１３】第二の実施形態の中仕切り付き包装箱の組み立て工程（収容物を収容空間の中に入れる工程）を示す縦断面図である。
【図１４】第二の実施形態の中仕切り付き包装箱の、開封した状態の外観を示す斜視図（ａ）、内部構造を示す縦断面図（ｂ）である。
【図１５】第二の実施形態の中仕切り付き包装箱の、再封した状態の外観を示す斜視図（ａ）、内部構造を示す縦断面図（ｂ）である。
【考案を実施するための形態】
【００１３】
以下、本考案の中仕切り付き包装箱の第一の実施形態について、図１〜図８に基づいて説明する。この実施形態の中仕切り付き包装箱１０は、錠剤を封止したＰＴＰシート等の収容物Ｓを包装する用途に使用される包装箱で、図１（ａ）に示す組み立て状態で、四角形の筒体１２の両端が蓋部１４及び底部１６で閉鎖されている。
【００１４】
中仕切り付き包装箱１０は、厚紙等で成る一枚の箱体形成片１８を組み立てることによって形成される。図２は、箱体形成片１８を裏面側から見た平面図で、以下、箱体形成片１８の構成について、紙面の上側を蓋側と称し、紙面の下側を底側と称して説明する。
【００１５】
箱体形成片１８は、順に一列に連接された第、第二、第三及び第四の側面板２０，２２，２４，２６を有している。これらは、連接方向と直角な幅方向の長さがほぼ同じで、連接方向の長さは、第一及び第三の側面板２０，２４が短くて互いにほぼ等しく、第二及び第四の側面板２２，２６が長くて互いにほぼ等しい。さらに、第四の側面板２６の連接方向の端辺には、第一の糊付け板２８が連接されている。第一の糊付け板２８の連接方向の長さは、第一及び第三の側面板２０，２４の連接方向長さよりも少し短い。
【００１６】
第一の糊付け板２８の連接方向の端辺には、仕切り板３０が連接されている。仕切り板３０の連接方向の長さは、第二及び第四の側面板２２，２６の連接方向の長さとほぼ同じであり、連接方向と直角な幅方向の長さは、第二及び第四の側面板２２，２６の幅方向の長さとほぼ同じか僅かに短い。さらに、仕切り板３０の連接方向の端辺には、第二の糊付け板３２が連接されている。第二の糊付け板３２の連接方向の長さは、第一の糊付け板２８の連接方向長さとほぼ同じである。
【００１７】
上記の第一、第二、第三及び第四の側面板２０，２２，２４，２６、第一の糊付け板２８、仕切り板３０及び第二の糊付け板３２は、各々折罫線３４，３６，３８，４０，４２，４４で区切られている。
【００１８】
第一の側面板２０の蓋側の端辺には台形状のサイドフラップ４６が延設され、折罫線４８で第一の側面板２０と区切られている。サイドフラップ４６は、延出長さが第二及び第四の側面板２２，２６の連接方向長さの約2/5で、後述する第一の蓋片５４に近い先端角部が、鈍角のＶ字形に大きく切り欠かれている。また、第一の側面板２０の底側の端辺には、台形状のサイドフラップ５０が延設され、折罫線５２で第一の側面板２０と区切られている。サイドフラップ５０の内側には、折罫線３４の底側の一端から斜めに延びる補助折罫線５０ａが設けられている。
【００１９】
第二の側面板２２の蓋側の端辺には、略長方形の第一の蓋片５４が延設され、折罫線５６で第二の側面板２２と区切られている。第一の蓋片５４の延出長さは、第一及び第三の側面板２０，２４の連接方向長さと同じか僅かに短い。また、第二の側面板２２の底側の端辺には、略長方形の第一の底片６０が延設され、折罫線６２で第二の側面板２２と区切られている。第一の底片６０の延出長さは、第一及び第三の側面板２０，２４の連接方向長さと同じか僅かに短い。
【００２０】
第三の側面板２４の蓋側の端辺には台形状のサイドフラップ６４が延設され、折罫線６６で第三の側面板２４と区切られている。サイドフラップ６４は、延出長さが第二及び第四の側面板２２，２６の連接方向長さの約2/5で、第一の蓋片５４に近い先端角部が鈍角のＶ字形に大きく切り欠かれている。また、第三の側面板２４の底側の端辺には、台形状のサイドフラップ６８が延設され、折罫線７０で第三の側面板２４と区切られている。
【００２１】
第四の側面板２６の蓋側の端辺には、略長方形の第二の蓋片７２が延設され、折罫線７４で第四の側面板２６と区切られている。第二の蓋片７２の延出長さは、第一の蓋片５４の延出長さよりも少し短い。また、第四の側面板２６の底側の端辺には、略長方形の第二の底片７６が延設され、解体用破断線７８で第四の側面板２６と区切られている。第二の底片７６の延出長さは、第一の底片６０の延出長さよりも少し短い。
【００２２】
仕切り板３０の蓋側の端辺には、先端が丸く面取りされた略三角形のガイド片８０が延設され、ガイド片切離用破断線８２で仕切り板３０と区切られている。ガイド片８０の延出長さは、第一の蓋片５４の延出長さよりも少し短く、第二の蓋片７２の延出長さと同じか僅かに長い。
【００２３】
その他、第二の側面板２２の内側の、蓋側の端部には、第二の側面板２２の中央部に向かって膨出する略Ｖ字形状（又は等脚台形状）にレイアウトされた開封用破断線８４が設けられ、開封用破断線８４と折罫線５６とで囲まれた内側が開封部８６になっている。開封部８６は、折罫線５６を介して第一の蓋片５４に連続しており、開封時、開封用破断線８４を破断させると、開封部８６及び第一の蓋片５４が第二の側面板２２から切り離される。
【００２４】
さらに仕切り板３０の内側には、略四角形の領域である蓋側端部３０ａが設けられている。蓋側端部３０ａは、左右の側端部が、折罫線４２，４４の蓋側の一端を延長した位置に設けられた細長いスリット８８ａ，８８ｂによって第一及び第二の糊付け板２８，３２から切り離され、基端部が、仕切り板３０の他の部分に連続している。そして、蓋側端部３０ａの、ガイド片切離用破断線８２の中央部と接する位置に、底側に向かって膨出する半円形の補助透孔３０ｂが設けられている。また、ガイド片８０の内側の先端寄りの位置に、糊付け孔８０ａが設けられている。
【００２５】
さらに、第二の糊付け板３２及び仕切り板３０の底側の端部には、第二の糊付け板３２の連接方向の端部から仕切り板３０の途中の位置まで延びる切り込み線９０によって区切られた収容物支持部９２が設けられている。収容物支持部９２は、折罫線４２と平行な折罫線９４で仕切り板３０と区切られており、収容物支持部９２の内側は、折罫線９４と平行な折罫線９６により、折罫線９４，９６に挟まれた特定部分９２ａと、それ以外の糊付け部分９２ｂとに区切られている。
【００２６】
次に、中仕切り付き包装箱１０の組み立て方法の一例を説明する。ここでは、図２に示す箱体形成片１８の各折罫線及び破断線の折り曲げ方について、表面が凸になる折り方を正折り、裏面が凸になる折り方を逆折りと称する。
【００２７】
まず、図３（ａ）に示すように、収容物支持部９２の糊付け部分９２ｂの裏面に糊９８を塗布し、図３（ｂ）に示すように、仕切り板３０及び第二糊付け板３２を、折罫線４２で正折りして第四の側面板２６及び第一の糊付け板２８に重ね、糊付け部分９２ｂを第四の側面板２６に糊付けする。
【００２８】
その後、第二の糊付け板３２の表面に糊１００を塗布した後、図４（ａ）に示すように、仕切り板３０及び第二糊付け板３２を、折罫線３８で正折りして第二及び第三の側面板２２，２４に重ね、第二の糊付け板３２を第三の側面板２４に糊付けする。
【００２９】
そして、第一の糊付け板２８の表面に糊１０２を塗布した後、図４（ｂ）に示すように、第一の側面板２０を、折罫線３４で正折りして第一の糊付け板２８に重ね、第一の側面板２０を第一の糊付け板２８に糊付けする。箱体形成片１８は、この折り畳み状態で中仕切り付き包装箱１０の製造工場等から出荷される。
【００３０】
次に、収容物Ｓの包装を行う工場等において、箱体形成片１８の折罫線３４，３６，３８，４０を各々９０度に正折りし、図５（ａ）に示すように、４つの側面板２０，２２，２４，２６で四角形の筒体１２を形成する。この時、所定の部位が糊９８，１００，１０２で糊付けされているので、図５（ｂ）に示すように、折罫線４２，４４，９４が自動的に９０度に折れ曲がり（折罫線４２，４４が正折り、折罫線９４が逆折りされ）、仕切り板３０と収容物支持部の特定部分９２ａが所定の位置に移動する。
【００３１】
次に、底部１６を形成するため、サイドフラップ５０，６８を折罫線５２，７０で各々９０度に正折りし、第二の底片７６を解体用破断線７８で９０度に正折りし、第二の底片７６をサイドフラップ５０，６８に重ねる。そして、第二の底片７６の表面に糊１０４を塗布した後、第一の底片６０を折罫線６２で９０度に正折りして第二の底片７６に重ね、第一の底片６０を第二の底片７６に糊付けする。これで、筒体１２の一端部が底部１６で閉鎖される。
【００３２】
この状態で、図５（ｂ）、図６に示すように、仕切り板３０は、第二の側面板２２に対向する位置に支持され、仕切り板３０と第四の側面板２６との間に収容空間１０６が形成される。また、仕切り板３０の蓋側端部３０ａは、開封部８６の内側に対向するように配置されて、第二の側面板２２の方向及び第四の側面板２６の方向に傾倒可能に支持される。また、収容物支持部９２が折れ曲がり、特定部分９２ａが収容空間１６の下方を横切る角度に配置される。
【００３３】
そして、開放している筒体１２の蓋側の端部から収容空間１０６の中に、収容物Ｓを入れる。収容物Ｓを入れる時は、収容物Ｓの下端部を筒体１２の外に突出しているガイド片８０の内面に摺接させて差し込む。ガイド片８０が無いとすると、収容物Ｓが仕切り板３０の上端面に引っ掛かって少し入れにくい場合があるが、ガイド片８０があるので、ガイド片８０によって収容物Ｓが収容空間１０６に向けて案内され、収容物Ｓをスムーズに入れることができる。そして、収容空間１０６に入った収容物Ｓは、下端部が特定部分９２ａの上端面によって緩衝的に支持される。
【００３４】
収容物Ｓを入れた後、蓋部１４を形成する。まず、サイドフラップ４６，６４を罫線４８，６６で各々９０度に正折りし、第二の蓋片７２を折罫線７４で９０度に正折りしてサイドフラップ４６，６４に重ね、さらに、筒体１２の外に突出しているガイド片８０をガイド片切離用破断線８２でほぼ９０度に正折りして第二の蓋片７２に重ねる。そして、ガイド片８０の糊付け孔８０ａから見える第二の蓋片７２の表面と糊付け孔８０ａの周縁部とに跨るように糊１０８を塗布した後、第一の蓋片５４を折罫線５６で９０度に正折りしてガイド片８０に重ね、第一の蓋片５４を第二の蓋片７２及びガイド片８０に糊付けする。これで、筒体１２の他端部が蓋部１４で閉鎖され、ガイド片８０が蓋部１４の中に収まって、図１（ａ）、（ｂ）に示す組み立て状態になる。
【００３５】
中仕切り付き包装箱１０を開封する時は、例えば開封部８６を指で押し込んで開封用破断線８４を破断させる。開封部８６の内側近傍には仕切り板３０の蓋側端部３０ａが配置されているが、蓋側端部３０ａは、スリット８８ａ，８８ｂによって第一及び第二の糊付け板２８，３２から切り離されているので、開封部８６に押されると第四の側面板２６の方向に傾倒し、開封部８６を押し込む障害にはならない。そして、蓋側端部３０ａは、開封部８６に押されて第四の側面板２６の方向に傾倒しつつ、開封部８６が収容物Ｓ（ＰＴＰシート）に直接接触するのを阻止し、収容物Ｓを保護する。
【００３６】
開封用破断線８４を破断させると、第一の蓋片５４及び開封部８６が第二の側面板２２から切り離される。さらに第一及び第二の蓋片５４，７２及びガイド片８０を少し引き上げてガイド片切離用破断線８２を破断させると、ガイド片８０が仕切り板３０から切り離される。これで、２つの蓋片５４，７２及びガイド片８０が開閉可能になり、これらを大きく引き上げた後、サイドフラップ４６，６４を引き上げると、図７（ａ）、（ｂ）に示すように、蓋部１４が広く開放し、中の収容物Ｓを取り出すことができる。第一の蓋片５４、開封部８６及びガイド片８０は、糊１０８を介して第二の蓋片７２に接続されているのでゴミにはならない。
【００３７】
なお、開封用破断線８４を破断させる時は、開封部８６を内向きに押し込むのではなく、開封部８６の表面に指を当てて蓋部１４の方向に移動させ（スライド開封）てもよい。開封用破断線８４は、第一の蓋片５４に連続する基端部が幅広で、先端部が幅狭な略Ｖ字状（又は等脚台形状）にレイアウトされているので、スライド開封した場合でも、容易に破断させることができる。スライドして開封すれば、収容物Ｓをより安全に保護することができ、しかも、開封用破断線８４を破断させる動作と第一及び第二の蓋片５４，７２及びガイド片８０を引き上げる動作とが連続動作になるので、１アクションで簡単に開封することができる。
【００３８】
中仕切り付き包装箱１０を開封した後、再封する時は、まず、サイドフラップ４６，６４を折罫線４８，６６で９０度に正折りして倒す。次に、折罫線７４を正折りして２つの蓋片５４，７２及びガイド片８０をサイドフラップ４６，６４に重ねるとともに、開封部８６の先端部を、サイドフラップ４６，６４の先端角部の切り欠きと蓋側端部３０ａの内面とで囲まれ開口に案内し、蓋側端部３０ａを第二の側面板２２の方向に傾倒させながら深く差し込み、２つの蓋片５４，７２及びガイド片８０をサイドフラップ４６，６４に重ねる。これで、図８（ａ），（ｂ）に示すように、蓋部１４が再封された状態になる。
【００３９】
この状態で、開封部８６の表面及び裏面が蓋側端部３０ａの端縁及びサイドフラップ４６，６４の端縁で係止され、第二の側面板２２の、開封前に開封部８６が在った部分が開放し、その内側の少し離れた位置に、蓋側部分３０ａが視認可能に配置される。したがって、再封された状態と開封前の組み立て状態とを比較すると、第二の側面板２２の側から見た時の外観が大きく異なるので、再封された箱か開封前の箱かを容易に判別することができる。
【００４０】
再封された状態から再び第一及び第二の蓋片５４，７２を開くときは、第一の蓋片５４と開封部８６との境界部のほぼ中央部、すなわち蓋側端部３０ａの半円形の補助透孔３０ｂの部分から露出している箇所に指を掛けて、２つの蓋片５４，７２及びガイド片８０を引き上げる。
【００４１】
中仕切り付き包装箱１０を開封した後、廃棄する時は、底部１６を解体するため、筒体１２の対角に位置する折罫線３６及び４０の途中の位置（底部１６に近い位置）を互いに近づけるように押圧する。これにより、サイドフラップ５０が補助折罫線５０ａで折れ曲がって筒体１２がスムーズに変形し、解体用破断線７８が破断して第二の底片７６は第四の側面板２６から切り離され、底部１６が解体される。これで、全体を薄く折り畳むことが可能になり、中仕切り付き包装箱１０をコンパクトに廃棄することができる。
【００４２】
以上説明したように、中仕切り付き包装箱１０は、シンプルな構造で組み立てやすく、組み立て工程で収容物Ｓを筒体１２の蓋側の開口から収容空間１０６の中に入れる時、筒体１２の外に突出するガイド片８０によって収容物Ｓが収容空間に向けて案内されるので、収容物Ｓが仕切り板３０（蓋側端部３０ａ）の上端面に引っ掛かることが防止され、収容物Ｓをスムーズに収容空間１０６に入れることができる。しかも、ガイド片８０は、仕切り板３０との境界部分（ガイド片切離用破断線８２）が折り曲げられて蓋部１４の内側に収まる形状なので、包装箱の外形が大型化することもない。また、開封するとガイド片８０が仕切り板３０から切離するので、収容物Ｓを取り出す時にガイド片８０が邪魔にならない。
【００４３】
また、開封部８６を押し破る等の開封が行われた時、仕切り板３０の蓋側端部３０ａが、開封部８６が収容物Ｓ（医薬品等が入ったＰＴＰシート等）に直接接触するのを阻止するので、収容物Ｓが適切に保護される。さらに、底部１６には、収容物Ｓを緩衝的に支持する収容物支持部９２（特定領域９２ａ）が設けられているので、収容物Ｓを安全に輸送したり取り扱ったりすることができる。
【００４４】
次に、本発明の中仕切り付き包装箱の第二の実施形態について、図９〜図１５に基づいて説明する。なお、この実施形態は、上記の中仕切り付き包装箱１０と同様の構成が多いので、同様の構成については同一の符号を付して説明する。この実施形態の中仕切り付き包装箱１０８は、上記と同様に、錠剤を封止したＰＴＰシート等の収容物Ｓを包装する用途に使用される包装箱で、図９（ａ）に示す組み立て状態で、四角形の筒体１２の両端が蓋部１４及び底部１６で閉鎖されている。
【００４５】
中仕切り付き包装箱１０８は、厚紙等で成る一枚の箱体形成片１１０を組み立てることによって形成される。図１０は、箱体形成片１１０を裏面側から見た平面図で、以下、箱体形成片１１０の構成について、紙面の上側を蓋側と称し、紙面の下側を底側と称して説明する。
【００４６】
箱体形成片１１０は、順に一列に連接された第、第二、第三及び第四の側面板２０，２２，２４，２６を有している。これらは、連接方向と直角な幅方向の長さがほぼ同じで、連接方向の長さは、第一及び第三の側面板２０，２４が短くて互いにほぼ等しく、第二及び第四の側面板２２，２６が長くて互いにほぼ等しい。さらに、第四の側面板２６の連接方向の端辺には、第一の糊付け板２８が連接されている。第一の糊付け板２８の連接方向の長さは、第一及び第三の側面板２０，２４の連接方向長さよりも少し短い。
【００４７】
第一の糊付け板２８の連接方向の端辺には、仕切り板３０が連接されている。仕切り板３０の連接方向の長さは、第二及び第四の側面板２２，２６の連接方向の長さとほぼ同じであり、連接方向と直角な幅方向の長さは、第二及び第四の側面板２２，２６の幅方向の長さほぼ同じか僅かに短い。さらに、仕切り板３０の連接方向の端辺には、第二の糊付け板３２が連接されている。第二の糊付け板３２の連接方向の長さは、第一の糊付け板２８の連接方向長さとほぼ同じである。
【００４８】
上記の第一、第二、第三及び第四の側面板２０，２２，２４，２６及び第一の糊付け板２８は各々折罫線３４，３６，３８，４０で区切られ、第一の糊付け板２８、仕切り板３０及び第二の糊付け板３２は各々仕切り板切離用破断線１１２ａ，１１２ｂで区切られている。
【００４９】
第一の側面板２０の蓋側の端辺には台形状のサイドフラップ４６が延設され、折罫線４８で第一の側面板２０と区切られている。サイドフラップ４６は、延出長さが第二及び第四の側面板２２，２６の連接方向長さの約1/4で、後述する第一の蓋片５４に近い先端角部が、鈍角のＶ字形に切り欠かれている。また、第一の側面板２０の底側の端辺には、台形状のサイドフラップ５０が延設され、折罫線５２で第一の側面板２０と区切られている。
【００５０】
第二の側面板２２の蓋側の端辺には、略長方形の第一の蓋片５４が延設され、折罫線５６で第二の側面板２２と区切られている。第一の蓋片５４の延出長さは、第一及び第三の側面板２０，２４の連接方向の長さより僅かに短い。また、第二の側面板２２の底側の端辺には、略長方形の第一の底片６０が延設され、折罫線６２で第二の側面板２２と区切られている。第一の底片６０の延出長さは、第一及び第三の側面板２０，２４の連接方向の長さより僅かに短い。
【００５１】
第三の側面板２４の蓋側の端辺には台形状のサイドフラップ６４が延設され、折罫線６６で第三の側面板２４と区切られている。サイドフラップ６４は、延出長さが第二及び第四の側面板２２，２６の連接方向長さの約1/4で、第一の蓋片５４に近い先端角部が鈍角のＶ字形に切り欠かれている。また、第三の側面板２４の底側の端辺には、台形状のサイドフラップ６８が延設され、折罫線７０で第三の側面板２４と区切られている。
【００５２】
第四の側面板２６の蓋側の端辺には、略長方形の第二の蓋片７２が延設され、折罫線７４で第四の側面板２６と区切られている。第二の蓋片７２の延出長さは、第一の蓋片５４の延出長さとほぼ同じである。さらに、第二の蓋片７２の先端部には差し込み片１１４が延設され、折罫線１１６で第二の蓋片７２と区切られている。また、第四の側面板２６の底側の端辺には、略長方形の第二の底片７６が延設され、折罫線１１８で第四の側面板２６と区切られている。第二の底片７６の延出長さは、第一の底片６０の延出長さよりも少し短い。
【００５３】
仕切り板３０の蓋側の端辺３０ｃの中央部には、円弧状に膨出した形状のガイド片８０が延設され、折罫線１２０で仕切り板３０と区切られている。ガイド片８０の延出長さは、第一及び第二の蓋片５４，７２の延出長さよりも短い。
【００５４】
その他、第二の側面板２２の蓋側の端部には、開封用破断線８４が設けられている。開封用破断線８４は、外側の両端部が折罫線５６に重なり、中央部が第二の側面板２２の中央部に向かって膨出した形状にレイアウトされ、開封用破断線８４と折罫線５６とで囲まれた内側が開封部８６になっている。開封部８６は、折罫線５６を介して第一の蓋片５４に連続しており、開封時、開封用破断線８４を破断させると、開封部８６及び第一の蓋片５４が第二の側面板２２から切り離される。
【００５５】
また、第四の側面板２６の底側の端部に、第四の側面板２６の中央部に向かって膨出する円弧形状にレイアウトされた解体用破断線７８が設けられ、開封用破断線７８と折罫線１１８とで囲まれた内側が押圧部１２０になっている。押圧部１２０は、折罫線１１８を介して第二の底片７６に連続しており、解体時、押圧部１２０を押し込んで解体用破断線８４を破断させると、押圧部１２０及び第二の底片７６が第四の側面板２６から切り離される。
【００５６】
さらに仕切り板３０の内側には、略四角形の領域である蓋側端部３０ａが設けられている。蓋側端部３０ａは、左右の側端部が、仕切り板切離用破断線１１２ａ、１１２ｂの蓋側の一端を延長した位置に設けられた細長いスリット８８ａ及びほぼ直角な切り欠き８８ｃによって第一及び第二の糊付け板２８，３２から切り離され、基端部が、仕切り板３０の他の部分に連続している。
【００５７】
次に、中仕切り付き包装箱１０８の組み立て方法の一例を説明する。ここでは、図１０に示す箱体形成片１１０の各折罫線及び破断線の折り曲げ方について、表面が凸になる折り方を正折り、裏面が凸になる折り方を逆折りと称する。
【００５８】
まず、図１１（ａ）に示すように、仕切り板３０及び第二糊付け板３２を、仕切り板切離用破断線１１２ａで正折りして第四の側面板２６及び第一の糊付け板２８に重ね、第二の糊付け板３２の表面に糊１００を塗布する。
【００５９】
その後、図１１（ｂ）に示すように、仕切り板３０及び第二糊付け板３２を、折罫線３８で正折りして第二及び第三の側面板２２，２４に重ね、第二の糊付け板３２を第三の側面板２４に糊付けする。
【００６０】
そして、第一の糊付け板２８の表面に糊１０２を塗布した後、図１１（ｃ）に示すように、第一の側面板２０を、折罫線３４で正折りして第一の糊付け板２８に重ね、第一の側面板２０を第一の糊付け板２８に糊付けする。箱体形成片１１０は、この折り畳み状態で中仕切り付き包装箱１０８の製造工場等から出荷される。
【００６１】
次に、収容物Ｓの包装を行う工場等において、箱体形成片１１０の折罫線３４，３６，３８，４０を各々９０度に正折りし、図１２（ａ）に示すように、４つの側面板２０，２２，２４，２６で四角形の筒体１２を形成する。この時、所定の部位が糊１００，１０２で糊付けされているので、図１２（ｂ）に示すように、仕切り板切離用破断線１１２ａ，１１２ｂも自動的に９０度に正折りされ、仕切り板３０が所定の位置に移動する。
【００６２】
次に、底部１６を形成するため、サイドフラップ５０，６８を折罫線５２，７０で各々９０度に正折りし、第二の底片７６を折罫線１１８で９０度に正折りし、第二の底片７６をサイドフラップ５０，６８に重ねる。そして、第二の底片７６の表面に糊１０４を塗布した後、第一の底片６０を折罫線６２で９０度に正折りして第二の底片７６に重ね、第一の底片６０を第二の底片７６に糊付けする。これで、筒体１２の一端部が底部１６で閉鎖される
この状態で、図１２（ｂ）、図１３に示すように、仕切り板３０は、第二の側面板２２に対向する位置に支持され、仕切り板３０と第四の側面板２６との間に収容空間１０６が形成される。また、仕切り板３０の蓋側端部３０ａは、開封部８６の内側に対向するように配置されて、第二の側面板２２の方向及び第四の側面板２６の方向に傾倒可能に支持される。
【００６３】
そして、開放している筒体１２の蓋側の端部から収容空間１０６の中に、収容物Ｓを入れる。収容物Ｓを入れる時は、収容物Ｓの下端部を筒体１２の外に突出しているガイド片８０の内面に摺接させて差し込む。ガイド片８０が無いとすると、収容物Ｓが仕切り板３０の上端面に引っ掛かって少し入れにくい場合があるが、ガイド片８０があるので、ガイド片８０によって収容物Ｓが収容空間１０６に向けて案内され、収容物Ｓをスムーズに入れることができる。
【００６４】
収容物Ｓを入れた後、蓋部１４を形成する。まず、サイドフラップ４６，６４を罫線４８，６６で各々９０度に正折りし、筒体１２の外に突出しているガイド片８０を折罫線１２２でほぼ９０度に正折りする。そして、差し込み片１１４を折罫線１１６でほぼ９０度に正折りした後、第二の蓋片７２を折罫線７４で９０度に正折りしてサイドフラップ４６，６４及びガイド片８０に重ねるとともに、差し込み片１１４を第二の側面板２２の内側（開封部８６の内側）に差し込む。さらに、第二の蓋片７２の表面に糊１０８を塗布した後、第一の蓋片５４を折罫線５６で９０度に正折りして第二の蓋片７２に重ね、第一の蓋片５４を第二の蓋片７２に糊付けする。これで、筒体１２の他端部が蓋部１４で閉鎖され、ガイド片８０が蓋部１４の中に収まって、図９（ａ）、（ｂ）に示す組み立て状態になる。
【００６５】
中仕切り付き包装箱１０８を開封する時は、開封部８６を指で押し込み、開封用破断線８４の一部（開封部８６の周囲）を破断させる。開封部８６の内側近傍には仕切り板３０の蓋側端部３０ａが配置されているが、蓋側端部３０ａは、スリット８８ａ及び切り欠き８８ｃによって第一及び第二の糊付け板２８，３２から切り離されているので、開封部８６に押されると第四の側面板２６の方向に傾倒し、開封部８６を押し込む障害にはならない。そして、蓋側端部３０ａは、開封部８６に押されて第四の側面板２６の方向に傾倒しつつ、開封部８６が収容物Ｓ（ＰＴＰシート）に直接接触するのを阻止し、収容物Ｓを保護する。
【００６６】
開封部８６が第二の側面板２２から切り離された後、さらに第一及び第二の蓋片５４，７２を少し引き上げて開封用破断線８４の残りの部分を破断させると、第一の蓋片５４も第二の側面板２２から切り離される。これで、第一及び第二の蓋片５４，７２が開閉可能になり、これらを大きく引き上げた後、サイドフラップ４６，６４を引き上げると、図１４（ａ）、（ｂ）に示すように、蓋部１４が広く開放し、中の収容物Ｓを取り出すことができる。第一の蓋片５４及び開封部８６は、糊１０８を介して第二の蓋片７２に接続されているのでゴミにはならない。
【００６７】
また、中仕切り付き包装箱１０８の場合、ガイド片８０を指で摘まんで引っ張ると、仕切り板切離用破断線１１２ａ，１１２ｂが破断して、仕切り板３０を箱体から切り離すことができる。したがって、あらかじめ仕切り板３０に収容物Ｓの取り扱い説明等の情報を表示しておくことによって、仕切り板３０を情報表示カードとして使用することができる。
【００６８】
中仕切り付き包装箱１０８を開封した後、再封する時は、まず、サイドフラップ４６，６４を折罫線４８，６６で９０度に正折りして倒す。そして、差し込み片１１４を折罫線１１６で９０度に正折りした後、折罫線７４を９０度に正折りして第一及び第二の蓋片５４，７２をサイドフラップ４６，６４に重ねるとともに、差し込み片１１４を第二の側面板２２の内側に差し込み片１１４を第二の側面板２２の内側（開封部８６の内側）に差し込む。これで、差し込み片１１４の表面が第二の側面板２２の内面に係止され、図１５（ａ），（ｂ）に示すように、蓋部１４が再封された状態になる。
【００６９】
この状態で、開封部８６は、第二の側面板２２の前方に斜めに吊り下げられる形になる。したがって、再封された状態と開封前の組み立て状態とを比較すると、開封部８６が第二の側面板２２から分離しているという点で外観が大きく異なるので、再封された箱か開封前の箱かを容易に判別することができる。
【００７０】
再封された状態から再び第一及び第二の蓋片５４，７２を開くときは、差し込み片１１６と第二の蓋片７２との境界部、又は開封部８６と第一の蓋片５４との境界部に指を掛けて引き上げる。
【００７１】
中仕切り付き包装箱１０８を開封した後、廃棄する時は、底部１６を解体するため、押圧部１２０を押し込むと、解体用破断線７８が破断し、押圧部１２０及び第二の底片７６が第四の側面板２６から切り離され、底部１６が解体される。これで、全体を薄く折り畳むことが可能になり、中仕切り付き包装箱１０８をコンパクトに廃棄することができる。
【００７２】
以上説明したように、中仕切り付き包装箱１０８は、上記の中仕切り付き包装箱１０と構成の一部が異なるものの、ほぼ同様の効果を得ることができ、さらに仕切り板３０を情報表示カードとして使用できるという特徴がある。
【００７３】
なお、本考案の中仕切り付き包装箱は、上記実施形態に限定されるものではない。例えば、収容物を収容空間に向けて案内するガイド片は、組み立て状態で蓋部の内側に収まる形状であれば、上記と異なる形状にしてもよい。また、底部は、上記のようなシールエンド型の底部に限定されず、自由に変更することができ、例えばワンタッチ型の底部にしてもよいし、蓋部と同じ構成の底部にしてもよい。
【００７４】
その他、上記実施形態では、第二の側面板と仕切り板との間の空間に物品を入れない場合を説明したが、この空間を補助収容空間とし、説明書類等を同封してもよい。
【符号の説明】
【００７５】
１０，１０８  中仕切り付き包装箱
１２  筒体
１４  蓋部
１６  底部
１８，１１０  箱体形成片
２０  第一の側面板
２２  第二の側面板
２４  第三の側面板
２６  第四の側面板
２８  第一の糊付け板
３０  仕切り板
３０ａ  蓋側端部
３２  第二の糊付け板
５４  第一の蓋片
７２  第二の蓋片
８０  ガイド片
８０ａ  糊付け孔
８２  ガイド片切離用破断線
８４  開封用破断線
８６  開封部
９０  切り込み線
９２  収容物支持部
９２ａ  特定部分
９８，１００，１０２，１０４  糊
１０６  収容空間
１１２ａ，１１２ｂ  仕切り板切離用破断線
Ｓ  収容物
【図１】
0003235452.tif 000003
【図２】
0003235452.tif 000004
【図３】
0003235452.tif 000005
【図４】
0003235452.tif 000006
【図５】
0003235452.tif 000007
【図６】
0003235452.tif 000008
【図７】
0003235452.tif 000009
【図８】
0003235452.tif 000010
【図９】
0003235452.tif 000011
【図１０】
0003235452.tif 000012
【図１１】
0003235452.tif 000013
【図１２】
0003235452.tif 000014
【図１３】
0003235452.tif 000015
【図１４】
0003235452.tif 000016
【図１５】
0003235452.tif 000017